(57)【要約】【課題】  監視カメラ装置から伝送される情報で音声情報として出力できるものが限られていたため、監視カメラ装置での自由度が小さかった。音声情報として出力できる監視カメラ装置から伝送される情報を選択可能とし、情報出力の自由度を大きくする。【解決手段】  監視カメラ装置と監視端末と伝送路で結合する監視カメラシステムにおいて、監視カメラ装置の各種情報を、監視端末装置で、音声により提示する。このとき、監視カメラ装置から伝送される情報について、監視端末装置から選択して、各種情報を音声に変換し提示する機能を持たせる。【選択図】  図２
2008141287.tif 000002
【特許請求の範囲】
【請求項１】
監視カメラ装置と監視端末装置と伝送路で結合する監視カメラシステムにおいて、上記監視カメラ装置の各種情報を、監視端末装置で、音声により提示することを特徴とする監視カメラシステム。
【発明の詳細な説明】
【技術分野】
【０００１】
本発明は、監視システムに関わり、特に、伝送装置を使用した監視カメラシステムに関する。
【背景技術】
【０００２】
従来、伝送装置を使用した監視カメラシステムにおいて、監視カメラ装置の各種情報、例えば、カメラの視野方向、監視カメラ装置の伝送装置動作、監視カメラ装置の設置位置付近の通常情報（例えば、気象等の情報）や、監視カメラ装置に不具合があった時の故障原因、伝送装置の疎通不良等の異常情報は、監視端末に文字情報として提示している。しかしながら、このような従来の方法では、監視端末装置の監視者が常に監視端末を目視している必要があり、監視者の負担が大きい。
監視カメラ装置の選択情報及びプリセット制御情報を音声表示に切替えることで、監視端末装置のモニタの表示画面上での情報表示の煩雑さを解消させる技術は、例えば特許文献１に記載されている。
【特許文献１】特開２００４−２３６７６号公報
【発明の開示】
【発明が解決しようとする課題】
【０００３】
前述の従来技術では、監視カメラ装置から伝送される情報で音声情報として出力できるものが限られていたため、監視カメラ装置での自由度が小さかった。
本発明の目的は、従来の問題点を解決するため、音声情報として出力できる監視カメラ装置から伝送される情報を選択可能とし、情報出力の自由度を大きくすることにある。
【課題を解決するための手段】
【０００４】
上記の目的を達成するために、本発明は、監視カメラ装置と監視端末と伝送路で結合する監視カメラシステムにおいて、監視カメラ装置の各種情報を、監視端末装置で、音声により提示することを特徴とする。
また、監視カメラ装置から伝送される情報について、監視端末装置から選択して、各種情報を音声に変換し提示する機能を持たせ、音声情報として提示することを特徴とする。
【発明の効果】
【０００５】
本発明によれば、監視カメラ装置から伝送される情報について、監視端末から選択して、各種情報を音声に変換し提示する機能を持たせ、音声情報として提示することができるため、監視カメラ装置から伝送される情報についての出力形式の自由度が大きくなり、かつ、監視カメラ装置の選択情報及びプリセット制御情報を音声表示に切替えることが自由にできるので、監視端末の監視者の表示画面上での情報表示の煩雑さが解消される。
【発明を実施するための最良の形態】
【０００６】
本発明の一実施例の監視カメラシステムにおいて、監視カメラ装置の伝送装置を含む構成機器から伝送される各種データ情報を、監視端末で解析し、音声に変換して出力する技術を、以下、図１と図２によって説明する。
【０００７】
図１は、本発明の一実施形態の監視カメラシステムの概略構成を示すブロック図である。1 はカメラ装置、2 は伝送装置、4 は映像を含む情報を提示する監視端末、3 は伝送装置、5 は伝送装置 2 と伝送装置 4 の間で情報通信を可能とする伝送路である。
カメラ装置 1 と伝送装置 2 は、監視カメラ装置 6 の構成要素である。また、伝送装置 3 と監視端末 4 は監視端末装置 7 の構成要素である。
【０００８】
カメラ装置 1 は、例えば、カメラ（撮像部）とカメラ制御部を含む映像撮影部である。伝送路 5 は、例えば、ネットワーク回線である。
監視端末 4 は、例えば、モニタ、入力装置、及びスピーカ等の音声出力部（図示しない）を備え、１台または複数の監視カメラ装置 6 と伝送路 5 を介して結合され、モニタの表示画面には監視カメラ装置 6 から受信した画像データを表示する。
【０００９】
監視端末 4 のモニタの表示画面には、監視カメラ装置の視野角の制御や複数のカメラ装置や伝送装置があった場合には、それらを選択する制御をするための制御画面、プリセット制御情報表示やプリセット制御画面等を表示する。
更にモニタの表示画面には、その他、センサ情報、検出データ、等を含む監視カメラ装置の各種情報、例えば、カメラの視野方向、監視カメラ装置の伝送装置動作、監視カメラ装置の設置位置付近の通常情報（例えば、気象等の情報）や、監視カメラ装置に不具合があった時の故障原因、伝送装置の疎通不良等の異常情報を、監視端末に文字情報として提示する。
【００１０】
また監視端末 4 の入力装置は、例えば、キーボード、マウス等のポインティングデバイス、ジョイスティック、または操作器の少なくとも１つであり、監視者が、モニタの表示画面を見ながら、もしくは、GUI（ Graphical User Interface ）で監視カメラシステムを制御または操作するものである。
【００１１】
更に、監視端末 4 の音声出力装置は、監視カメラ装置 6 から伝送される各種情報、例えば、カメラの視野方向、監視カメラ装置の伝送装置動作、監視カメラ装置の設置位置付近の通常情報（例えば、気象等の情報）や、監視カメラ装置に不具合があった時の故障原因、伝送装置の疎通不良等の異常情報を音声情報として提示するものである。
【００１２】
図２は、図１で示した監視端末 4 の一実施例の構成の一部を示すブロック図である。101 は情報データの受信を行う情報受信部、102 は情報データを解析し、音声データに変換する音声変換部、103 は音声データを提示する音声提示部である。
【００１３】
監視カメラ装置から伝送される情報としてはさまざまなものがあるが、映像撮影部の故障情報を例に挙げて説明する。
図１と図２において、カメラ装置 1 で生成された故障情報のデータは、伝送装置 2 、伝送路 5 、及び伝送路 3 を介して伝送され監視端末 4 の情報受信部 101 に出力される。
【００１４】
なお、故障情報の生成は、例えば、予め設定された所定時間ごとに監視カメラ装置 6 が自動的に生成する場合と、監視端末装置 7 から監視者が必要に応じて要求した場合に実行される。
またあるいは、故障情報の生成は、例えば、予め設定された所定時間ごと、に監視端末装置 7 から自動的に要求する場合と、監視端末装置 7 から監視者が必要に応じて要求した場合に実行される。
【００１５】
情報受信部 101 は、入力された故障情報のデータを、監視端末 4 で処理できるフォーマットに変換して音声変換部 102 に出力する。音声変換部 102 は入力されたデータを解析し、音声変換を行い、変換した音声データを音声提示部 103 に出力する。音声提示部 103 は、入力された音声データ（音声変換された故障情報）を外部に音声情報で提示する。
【００１６】
上述のように、図１と図２の実施例により、監視端末では、故障情報が音声で提示されるので、故障情報を調べるまたは確認するために表示画面を見る必要が無く、監視者の負担が軽減でき、効率のよい運用か可能となる。
【００１７】
次に、どの情報を選択して音声情報として出力するかを、故障情報を選択する方法を説明することによって以下に述べる。
監視者は、監視カメラシステムを運転するにあたり、または、監視の途中で、モニタの表示画面内に、入力装置を使って情報選択リストを表示する。
表示された情報選択リストには、現在監視カメラシステムの結合されている監視カメラ装置の故障情報が、情報の種類別にリスト表示されている。
また、各種類別に過去所定時間内に発生した件数が表示される場合もある。更にまた、監視カメラ毎または伝送装置毎に過去所定時間内に発生した件数が表示される場合もある。
【００１８】
監視者は、これらの情報を見て、どの情報を音声で提示させるかをリストから選択する。例えば、その選択の方法としては、各種類別のリストの左側に並んで表示されるチェックボックスにチェックを入れる方法でも良い。
また、音声出力の他、同時にモニタの表示画面にも表示するように、選択できるようにしても良い。
【図面の簡単な説明】
【００１９】
【図１】本発明の一実施形態の監視カメラシステムの概略構成を示すブロック図。
【図２】本発明の一実施形態の監視端末の構成の一部を示すブロック図。
【符号の説明】
【００２０】
1：カメラ装置、  2，3：伝送装置、  4：監視端末、  5：伝送路、  6：監視カメラ装置、  7：監視端末装置、  101：情報受信部、  102：音声変換部、  103：音声提示部。
【図１】
2008141287.tif 000003
【図２】
2008141287.tif 000004